(57)【要約】【課題】不要となったチケットの転売を合法的かつ手軽に行なえるようにすること。【解決手段】本発明では、上記の課題を解決するために、各店舗に端末を設け、各店舗の端末と、各個人の端末とに、電気通信網を介して接続されるサーバを設け、店舗の端末を用いて、転売希望のチケットを、サーバに登録し、店舗の端末又は個人の端末を用いて、サーバに登録されている転売希望のチケットを購入することを特徴とするチケットの転売方法としたものである。【選択図】図２
2004192101.tif 000002
【特許請求の範囲】
【請求項１】
各店舗に端末を設け、
各店舗の端末と、各個人の端末とに、電気通信網を介して接続されるサーバを設け、
店舗の端末を用いて、転売希望のチケットを、サーバに登録し、
店舗の端末又は個人の端末を用いて、サーバに登録されている転売希望のチケットを購入することを特徴とするチケットの転売方法。
【請求項２】
チケットはＩＣタグを有しており、
店舗の端末で、チケットのＩＣタグに記憶されている情報を読み取ることにより、チケットの真贋を判定することを特徴とする請求項１に記載のチケットの転売方法。
【請求項３】
チケットの転売希望者から店舗にチケットが渡される際に、端末で、チケットのＩＣタグに記憶されている情報を書き換えて、チケットを失効させ、
店舗からチケットの購入者にチケットが渡される際に、端末で、チケットのＩＣタグに記憶されている情報を書き換えて、チケットを再発行することを特徴とする請求項２に記載のチケットの転売方法。
【請求項４】
各店舗の端末と、各個人の端末とに、電気通信網を介して接続されるサーバが実行する方法であって
店舗の端末を用いて、転売希望のチケットの登録を可能にする工程と、
店舗の端末又は個人の端末を用いて、登録されている転売希望のチケットを購入することを可能にする工程とを含むこと特徴とするチケットの転売方法。
【請求項５】
各店舗の端末と、各個人の端末とに、電気通信網を介して接続されるサーバであって、
店舗の端末を用いて、転売希望のチケットの登録を可能にする機能と、
店舗の端末又は個人の端末を用いて、登録されている転売希望のチケットを購入することを可能にする機能とを有する特徴とするチケットの転売サーバ。
【請求項６】
各店舗の端末と、各個人の端末とに、電気通信網を介して接続されるサーバに、
店舗の端末を用いて、転売希望のチケットの登録を可能にする機能と、
店舗の端末又は個人の端末を用いて、登録されている転売希望のチケットを購入することを可能にする機能とを実現させるコンピュータプログラムであること特徴とするチケットの転売プログラム。
【請求項７】
請求項８に記載のチケットの転売プログラムを記録した記録媒体。
【発明の詳細な説明】
【０００１】
【発明の属する技術分野】
本発明は、チケットの転売方法及び装置に関する。
【０００２】
【従来の技術】
一般に、急用などで行けなくなった、コンサート、野球、サッカー、演劇などの興行のチケットは、使われないまま無駄になるか、金券ショップやダフ屋に売っている。
【０００３】
しかし、ダフ屋は、各都道府県が定めた迷惑防止条例で禁止されており、一般の人が、チケットをダフ屋に売ること自体は、違法ではないが、道義的な問題がある。
【０００４】
また金券ショップは、店舗数が少なく、一般の人が手軽に利用できない。
【０００５】
【発明が解決しようとする課題】
本発明は、係る状況を鑑みてなされたもので、不要となったチケットの転売を合法的かつ手軽に行なえるようにすることを課題とする。
【０００６】
【課題を解決するための手段】
本発明において上記の課題を達成するために、まず請求項１の発明では、各店舗に端末を設け、
各店舗の端末と、各個人の端末とに、電気通信網を介して接続されるサーバを設け、
店舗の端末を用いて、転売希望のチケットを、サーバに登録し、
店舗の端末又は個人の端末を用いて、サーバに登録されている転売希望のチケットを購入することを特徴とするチケットの転売方法としたものである。
【０００７】
また請求項２の発明では、チケットはＩＣタグを有しており、
店舗の端末で、チケットのＩＣタグに記憶されている情報を読み取ることにより、チケットの真贋を判定することを特徴とする請求項１に記載のチケットの転売方法としたものである。
【０００８】
また請求項３の発明では、チケットの転売希望者から店舗にチケットが渡される際に、端末で、チケットのＩＣタグに記憶されている情報を書き換えて、チケットを失効させ、
店舗からチケットの購入者にチケットが渡される際に、端末で、チケットのＩＣタグに記憶されている情報を書き換えて、チケットを再発行することを特徴とする請求項２に記載のチケットの転売方法としたものである。
【０００９】
また請求項４の発明では、各店舗の端末と、各個人の端末とに、電気通信網を介して接続されるサーバが実行する方法であって
店舗の端末を用いて、転売希望のチケットの登録を可能にする工程と、
店舗の端末又は個人の端末を用いて、登録されている転売希望のチケットを購入することを可能にする工程とを含むこと特徴とするチケットの転売方法としたものである。
【００１０】
また請求項５の発明では、各店舗の端末と、各個人の端末とに、電気通信網を介して接続されるサーバであって、
店舗の端末を用いて、転売希望のチケットの登録を可能にする機能と、
店舗の端末又は個人の端末を用いて、登録されている転売希望のチケットを購入することを可能にする機能とを有する特徴とするチケットの転売サーバとしたものである。
【００１１】
また請求項６の発明では、各店舗の端末と、各個人の端末とに、電気通信網を介して接続されるサーバに、
店舗の端末を用いて、転売希望のチケットの登録を可能にする機能と、
店舗の端末又は個人の端末を用いて、登録されている転売希望のチケットを購入することを可能にする機能とを実現させるコンピュータプログラムであること特徴とするチケットの転売プログラムとしたものである。
【００１２】
また請求項７の発明では、請求項８に記載のチケットの転売プログラムを記録した記録媒体としたものである。
【００１３】
【発明の実施の形態】
以下に、本発明の一実施の形態を説明する。
【００１４】
１．チケット
本実施形態では、図１に示すように、ＩＣタグ付のチケットを対象とする。このＩＣタグは、非接触方式で情報の送受信を行なうアンテナ部と、チケット情報を記憶するメモリを有するＩＣ回路とを備えるものである。
【００１５】
ＩＣタグのチケットへの取付方として、例えば、ＩＣタグをチケットに内包させる、或は、ＩＣタグを内包させたラベルをチケットの表面に貼り付けることが挙げられる。
【００１６】
ＩＣタグを、チケットに取付けることで、チケットの真贋の判定を、容易かつ確実に行なえるようになる。
【００１７】
２．構成
本実施形態では、図１に示すように、各店舗に設置された端末と、個人が所持する端末とに、電気通信網を介して、接続されるサーバを設ける。
【００１８】
ここで、店舗は、コンビニエンスストア、チケットショップ、スーパーマーケット等、一般の人に馴染みのある小売業者の店舗であれば良く、特に制限はない。また、端末は、特定の小売業者の店舗に制限されること無く、複数の小売業者の店舗に設置される方が、一般の人の利用し易さの観点から、好ましい。
【００１９】
店舗に設置される端末は、コンピュータシステム、或は、ＰＯＳ端末などのコンピュータを内蔵した装置であって、少なくとも、ＩＣタグリーダ／ライタを備える。
【００２０】
個人が所持する端末は、パソコン等のコンピュータ、或は、携帯電話機などのマイクロコンピュータを内蔵した携帯端末である。
【００２１】
サーバも、コンピュータシステムであって、少なくとも、店舗の端末にて、転売希望のチケットを登録し、個人又は店舗の端末にて、登録されたチケットの購入を可能にするものである。
【００２２】
電気通信網は、店舗又は個人の各端末とサーバとの間で、電気的な通信が可能な網（ネットワーク）であれば、特に制限は無く、例えば、インターネットや専用回線でも良く、また、途中で光通信や無線通信が行なわれるものであっても良い。
【００２３】
３．処理
ここでは、チケットを転売する過程で、これら、店舗の端末と、個人の端末と、サーバとで構成されるシステムでなされる処理を、以下に説明する。
【００２４】
３．１．転売希望のチケットの登録
まず、店舗の端末を用いて、転売希望のチケットを、サーバに登録する処理の流れの例を、図３のフローチャートに従って、説明する。
尚、店舗の端末は、チケットの転売希望者、又は店舗の係員によって操作される。
【００２５】
Ｓ（ＳＴＥＰ）１；
店舗の端末は、転売希望のチケットに付いているＩＣタグからチケット情報を読み取る。
【００２６】
Ｓ（ＳＴＥＰ）２；
店舗の端末は、読み取ったチケット情報に基づいて、チケットの真贋を判定する。
チケットが本物であれば、ＳＴＥＰ３に進む。
チケットが偽物であれば、ＥＮＤに進む。
【００２７】
Ｓ（ＳＴＥＰ）３；
店舗の端末は、読み取ったチケット情報を、サーバに送信する。
【００２８】
Ｓ（ＳＴＥＰ）４；
サーバは、チケット情報を受信する。
【００２９】
Ｓ（ＳＴＥＰ）５；
サーバは、受信したチケット情報に、登録番号を付して、転売希望のチケットの情報として、登録する。
【００３０】
Ｓ（ＳＴＥＰ）６；
サーバは、登録番号を、店舗の端末に送信する。
【００３１】
Ｓ（ＳＴＥＰ）７；
店舗の端末は、登録番号を受信する。
【００３２】
Ｓ（ＳＴＥＰ）８；
店舗の端末は、登録番号を出力する。
この登録番号の出力には、例えば、ディスプレイによる表示出力、或はプリンタによる印刷出力がある。この登録番号の出力により、チケットの転売希望者は、この登録番号を知ることができる。そして、チケットの転売希望者は、この登録番号により、個人又は店舗の端末から、サーバにアクセスして、サーバに登録されている自分のチケットを識別し、そのチケットの販売状況を確認できる。
【００３３】
Ｓ（ＳＴＥＰ）９；
店舗の端末は、転売希望のチケットのＩＣタグに記憶されている情報を書き換えて、そのチケットを失効させる。
尚、チケットの転売希望者は、店舗に、転売希望のチケットを渡し、登録料金を支払う。
【００３４】
３．２．チケットの購入
次に、サーバに登録されている転売希望のチケットの購入に係わる処理の流れの例を、図４のフローチャートに従って、以下に説明する。
【００３５】
Ｓ（ＳＴＥＰ）１；
チケットの購入希望者は、個人又は店舗の端末にて、サーバに登録されている転売希望のチケット情報を、検索し閲覧する。
【００３６】
Ｓ（ＳＴＥＰ）２；
希望するチケットが見つかれば、ＳＴＥＰ３に進む。
希望するチケットが見つからなければ、ＥＮＤに進む。
【００３７】
Ｓ（ＳＴＥＰ）３；
チケットの購入希望者は、個人又は店舗の端末にて、購入申込を行なう。この購入申込の際、チケットを受け取る店舗を指定しても良い。この購入申込がなされると、この購入申込に係わる情報は、個人又は端末からサーバへ送信され、サーバに受信される。
【００３８】
Ｓ（ＳＴＥＰ）４；
サーバは、所定の選出基準に従って、購入申込者の中から、購入者を選出する。
選出基準としては、例えば、抽選、先着順、或はオークションなどがある。
【００３９】
Ｓ（ＳＴＥＰ）５；
サーバは、各購入申込者に、電子メールなどで選出結果を通知する。
各購入申込者は、各々の端末で、この選出結果の通知を閲覧する。
尚、購入者として選出された購入申込者宛の通知には、選出結果と共に、チケットの引渡がなされる店舗も記載されている。
【００４０】
Ｓ（ＳＴＥＰ）６；
購入者として選出された購入申込者に対して、チケットの引渡場所として指定された店舗で、チケットの引渡がなされる際に、その店舗の端末は、そのチケットのＩＣタグに記憶されている情報を書き換えて、チケットを再発行する。
尚、購入者として選出された購入申込者は、チケットを受け取る際に、店舗に、チケットの代金を支払う。このチケットの代金は、チケットの転売希望者に手数料を引かれて渡される。
【００４１】
【発明の効果】
請求項１、４〜７に記載の発明は、何れかの店舗の端末で、転売希望のチケットを登録でき、何れかの店舗の端末、或は個人の端末で、登録されている転売希望のチケットを購入できるので、不要となったチケットの転売を合法的かつ手軽に行なえるという効果がある。また、端末を設置する店舗が多くなればなる程、チケットの転売をより手軽に行ない易くなる。
【００４２】
請求項２に記載の発明は、請求項１、４〜７に記載の発明の効果に加えて、チケットの真贋を容易かつ確実に判定することができ、店舗及びチケットの購入者が、偽物を掴まされるなくて済むという効果がある。
【００４３】
請求項３に記載の発明は、請求項１、２、４〜７に記載の発明の効果に加えて、店舗から転売中のチケットが盗まれても、そのチケットで入場しようとする際に、盗難品のチケットであることが発覚し、盗人の逮捕が行なえるという効果がある。
【図面の簡単な説明】
【図１】ＩＣタグ付チケットを説明する図。
【図２】本発明方法に係わるシステムの構成例を説明する図。
【図３】転売希望のチケットの登録に係わる処理の流れの例を示すフローチャート。
【図４】チケットの購入に係わる処理の流れの例を示すフローチャート。
【図１】
2004192101.tif 000003
【図２】
2004192101.tif 000004
【図３】
2004192101.tif 000005
【図４】
2004192101.tif 000006